(57)【要約】【課題】簡易な構成で、ボトル状の容器２の転動中の姿勢のズレを防止して、容器２を安定して収容し、取り出すことができる物品収容装置を提供する。【解決手段】ボトル状の飲料用の容器２を横置き状に収容し、前方より収容順に取り出し可能に形成された物品収容装置１であって、横置き状に投入された容器２をガイドしながら後方に向けて傾斜板３０上を自重により転動させる上段部３と、上段部３の後方位置に連設され、容器２の転動方向を切り換える折り返し部４と、上段部３の下方位置に配設され、折り返し部４を介して投入された容器２をガイドしながら前方に向けて傾斜板５０上を自重により転動させる下段部５と、を具備してなり、傾斜板３０・５０は、上面に容器２の首部２１又は括れ部２２が当接されるガイド突起部材３２・５２が前後方向に沿って設けられる。【選択図】図４
2018029853.tif 000002
【特許請求の範囲】
【請求項１】
ボトル状の飲料用の容器を横置き状に収容し、前方より収容順に取り出し可能に形成された物品収容装置であって、
横置き状に投入された容器をガイドしながら後方に向けて傾斜板上を自重により転動させる上段部と、
前記上段部の後方位置に連設され、容器の転動方向を切り換える折り返し部と、
前記上段部の下方位置に配設され、前記折り返し部を介して投入された容器をガイドしながら前方に向けて傾斜板上を自重により転動させる下段部と、を具備してなり、
前記傾斜板は、上面に容器の首部又は括れ部が当接されるガイド突起部材が前後方向に沿って設けられる、
ことを特徴とする物品収容装置。
【請求項２】
前記折り返し部は、前記下段部の傾斜板と連続するように下方向に湾曲された弾性材よりなる湾曲部材が設けられる請求項１に記載の物品収容装置。
【請求項３】
前記折り返し部は、前記湾曲部材の下方位置に弾性材よりなる衝撃吸収部材が設けられる請求項２に記載の物品収容装置。
【請求項４】
前記ガイド突起部材は、左右方向に移動可能に配設される請求項１乃至請求項３のいずれか一項に記載の物品収容装置。
【請求項５】
前記ガイド突起部材は、後方端部が前記折り返し部の上下開口部内に位置される請求項１乃至請求項４のいずれか一項に記載の物品収容装置。
【発明の詳細な説明】
【技術分野】
【０００１】
本発明は、物品収容装置の技術に関し、より詳細には、ボトル状の飲料用の容器を横置き状に収容し、前方より収容順に取り出し可能に形成された物品収容装置に関する。
【背景技術】
【０００２】
従来、飲料缶等の飲料用の容器を横置き状に収容し、前方より収容順に取り出し可能に形成された物品収容装置が公知である。この種の物品収容装置は、通常、複数の容器を一度に保管できるように構成されており、前方より後方に向けて投入した容器を往復動させて前方より先出しして取り出すことができるため、容器の保管用又は陳列用の装置として冷蔵庫や陳列棚等に設置して、販売員やユーザの利便性が向上されている。
【０００３】
従来の物品収容装置としては、例えば、特許文献１に開示されるように、容器を後方に向けて傾斜するガイドレール上を往動させる上段囲いと、上段囲いから連通状に折り返して、容器を前方に向けて傾斜するガイドレール上を復動させる下段囲い等とを具備してなる構成が開示されている。かかる構成によれば、飲料缶を前方の差し入れ口より横置き状に投入することで、ガイドレール上を自重により転動させながら往復させて、同じく前方の取り出し口より収容順に先取り出すことができる。
【０００４】
しかしながら、上述した従来の物品収容装置の構成では、容器を並行に延設された複数のガイドレール上を転動させるものであったため、装置の組み立て精度や構成部品の加工精度などに起因する装置不良等により、転動中に横置き状から縦方向に姿勢がズレて、ガイドレール間の隙間より落下したり、ガイドレール間に挟まって停止したりして、容器をスムーズに収容し、取り出すことができない場合が生じ易いという問題があった。
【０００５】
特に、ビール缶のように略円筒状の容器は、横置き状での内容物の偏りが少なく比較的転動時の直進性が高いが、容器に首部や括れ部が形成されるボトル状の容器は、横置き状での内容物の偏りが大きく転動時の直進性が悪いため、上述した従来の構成では、転動中に容器の姿勢が容易にズレて、装置内で引っ掛かって目詰まりを起こす等、容器を整列して収容させて使用するに適していないという問題があった。
【先行技術文献】
【特許文献】
【０００６】
【特許文献１】特開平１０−１４７２５号公報
【発明の概要】
【発明が解決しようとする課題】
【０００７】
そこで、本発明では、物品収容装置に関し、前記従来の課題を解決するもので、簡易な構成で、ボトル状の容器の転動中の姿勢のズレを防止して、容器を安定して収容し、取り出すことができる物品収容装置を提供することを目的とする。
【課題を解決するための手段】
【０００８】
本発明の解決しようとする課題は以上の如くであり、次にこの課題を解決するための手段を説明する。
【０００９】
すなわち、請求項１においては、ボトル状の飲料用の容器を横置き状に収容し、前方より収容順に取り出し可能に形成された物品収容装置であって、横置き状に投入された容器をガイドしながら後方に向けて傾斜板上を自重により転動させる上段部と、前記上段部の後方位置に連設され、容器の転動方向を切り換える折り返し部と、前記上段部の下方位置に配設され、前記折り返し部を介して投入された容器をガイドしながら前方に向けて傾斜板上を自重により転動させる下段部と、を具備してなり、前記傾斜板は、上面に容器の首部又は括れ部が当接されるガイド突起部材が前後方向に沿って設けられるものである。
【００１０】
請求項２においては、前記折り返し部は、前記下段部の傾斜板と連続するように下方向に湾曲された弾性材よりなる湾曲部材が設けられるものである。
【００１１】
請求項３においては、記折り返し部は、前記湾曲部材の下方位置に弾性材よりなる衝撃吸収部材が設けられるものである。
【００１２】
請求項４においては、前記ガイド突起部材は、後方端部が前記折り返し部の上下開口部内に位置されるものである。
【００１３】
請求項５においては、前記ガイド突起部材は、左右方向に移動可能に配設されるものである。
【発明の効果】
【００１４】
本発明の効果として、簡易な構成で、ボトル状の容器の転動中の姿勢のズレを防止して、容器を安定して収容し、取り出すことができる。
【図面の簡単な説明】
【００１５】
【図１】本発明の一実施例に係る物品収容装置の全体的な構成を示した側面図である。
【図２】容器の側面図である。
【図３】物品収容装置の平面図である。
【図４】物品収容装置の側断面図である。
【図５】上段部の傾斜板の（ａ）平面図及び（ｂ）側面図である。
【図６】下段部の傾斜板の（ａ）平面図及び（ｂ）側面図である。
【図７】物品収容装置における容器の収容動作を説明した側断面図である。
【図８】容器収容時の物品収容装置を模式的に示した側断面図である。
【図９】物品収容装置における容器の取り出し動作を説明した側断面図である。
【図１０】別実施例に係る物品収容装置の全体的な構成を示した側面図である。
【図１１】別実施例の容器の側面図である。
【図１２】別実施例の物品収容装置の平面図である。
【図１３】別実施例の物品収容装置の側断面図である。
【図１４】別実施例の上段部の傾斜板の平面図である。
【図１５】同じく別実施例の上段部の傾斜板の平面図である。
【発明を実施するための形態】
【００１６】
次に、発明を実施するための形態を説明する。なお、以下の実施例において、図１に示す矢印Ｘ方向を装置の前後方向、同じく図１に示す矢印Ｙ方向を装置の上下方向、図３に示す矢印Ｚ方向を装置の左右方向とする。
【００１７】
まず、本実施例の物品収容装置１の構成について、以下に概説する。
【００１８】
図１乃至図６に示すように、本実施例の物品収容装置１は、ボトル状の飲料用の容器２を横置き状に収容し、前方より収容順に取り出し可能に形成された収容装置として構成され、具体的には、横置き状に投入された容器２をガイドしながら後方に向けて傾斜板３０上を自重により転動させる上段部３と、上段部３の後方位置に連設され、容器２の転動方向を切り換える折り返し部４と、上段部３の下方位置に配設され、折り返し部４を介して投入された容器２をガイドしながら前方に向けて傾斜板５０上を自重により転動させる下段部５等とで構成されている。
【００１９】
物品収容装置１は、プラスチック等の素材により、装置本体が左側壁１０、右側壁１１、後壁１２、及び底壁１３にて上面及び前面が開口された箱状に形成され、内部空間に上述した上段部３、折り返し部４、及び下段部５が形成されている。左側壁１０、右側壁１１、及び後壁１２には、スリット１０ａ・１１ａ・１２ａが穿設されており、内部空間の通気性を高めて、物品収容装置１を冷所に設置した場合の冷却効果が向上されるように形成されている。装置本体の前面には、上前壁１４及び下前壁１５が左側壁１０、右側壁１１、及び底壁１３と連続するように設けられており、装置本体の剛性が高められている。
【００２０】
上前壁１４の後方であって後述する上段部３の傾斜板３０の前方端部に容器２の投入部１６が形成され、上前壁１４及び下前壁１５の間に容器２の取り出し部１７が形成されている。なお、以下の実施例では、投入部１６より天面が右方（図３において上側）を向くようにして容器２を投入する場合について説明しているが、本実施例の物品収容装置１は、左右方向の向きを代えたり、又はランダムで左右方向の向きを異ならせたりして投入することができるように構成されている。
【００２１】
容器２は、ボトル状の飲料用の小型（６５ｍｌ又は８０ｍｌ）の容器として形成され、略円筒状の本体部２０と、本体部２０から延出されて本体部２０の径よりも小さな径を有する首部２１と、本体部２０の周方向に沿って本体部２０の径よりも小さな径を有する括れ部２２とが設けられている（図２参照）。括れ部２２は、容器２の上下中央位置に凹状面を有するように形成されている。本実施例の容器２は、プラスチック等の比較的軽量の素材より形成されるが、ガラスやアルミ等その他の適当な材料で形成されてもよく、物品収容装置１に収容可能な容器２としては、ボトル状であれば形状・大きさ・素材等は特に限定されない（後述する図１１等参照）。
【００２２】
上段部３は、装置本体の上方位置に配設され、平板状の傾斜板３０が左側壁１０、右側壁１１、後壁１２、及び上前壁１４に側方を囲繞された空間に設けられている。傾斜板３０は、上面に容器２の本体部２０の当接平面が形成され、左側壁１０及び右側壁１１の離間に装置前方から後方に向けて上面（当接平面）が徐々に傾斜するように取り付けられている。本実施例の傾斜板３０は、左側壁１０及び右側壁１１に橋設された棒状の係止部材３１・３１に傾斜板３０の下面が当接され、傾斜板３０の前方縁部に突設された係止片３０ａが一方の係止部材３１に係合することで着脱可能に傾斜状に係止されている。
【００２３】
傾斜板３０は、上面に上述した容器２の括れ部２２が当接されるガイド突起部材３２が配設されている。本実施例のガイド突起部材３２は、断面矩形の棒状部材より形成され、傾斜板３０の左右方向の中央位置に前後方向に沿って延設されている。ガイド突起部材３２は、傾斜板３０の上面からの突出高さが容器２の括れ部２２の深さよりも低くなるように形成され、横向き状の容器２の括れ部２２の間に位置するように配設されている（図５等参照）。
【００２４】
折り返し部４は、上段部３の後方位置に連設され、左側壁１０、右側壁１１、後壁１２、及び底壁１３に周囲を囲繞された上下開口部４０と、下方向に湾曲された弾性材よりなる湾曲部材４１と、弾性材よりなる衝撃吸収部材４２等とが設けられている。上下開口部４０は、装置本体の後方位置に配設され、上下方向に向けて開口されて、前後方向幅が少なくとも容器２の外径よりも大きくなるように形成されている。
【００２５】
湾曲部材４１は、弾性材として長板状の樹脂製の板バネより形成され、一端が後壁１２の前方に位置され、他端が後述する下段部５の傾斜板５０の後方縁部に固定されて、全体として後壁１２及び底壁１３を跨ぐ位置に下方に向けて湾曲するようにして配設されている。湾曲部材４１の素材としては、樹脂製の板バネに限定されず、弾性を有するものとして例えば、ゴム若しくはゴム状の部材や、硬質若しくは軟質のスポンジ部材、又はその他の適当な材料で形成される（後述する図１３等参照）。
【００２６】
衝撃吸収部材４２は、弾性材としてブロック状のスポンジ部材より形成され、湾曲部材４１の下方であって後述する下段部５の傾斜板５０の後方縁部に配置され、底壁１３に固定されている。衝撃吸収部材４２の素材としては、スポンジ部材に限定されず、弾性を有するものとして例えば、ゴム若しくはゴム状の部材、又はその他の適当な材料で形成される。また、スポンジ部材としては、容器２の重量に応じて硬質（高弾性）又は軟質（低弾性）のものが好適に用いることができる。
【００２７】
下段部５は、装置本体の下方位置に配設され、平板状の傾斜板５０が左側壁１０、右側壁１１、後壁１２、及び下前壁１５に側方を囲繞された空間に設けられている。傾斜板５０は、上面に容器２の本体部２０の当接平面が形成され、左側壁１０及び右側壁１１の離間に装置後方から前方に向けて上面（当接平面）が徐々に傾斜するように取り付けられている。本実施例の傾斜板５０は、前方端部に取り付けられた係止片５０ａが底壁１３に突設された突起部１３ａに当接され、後方縁部が衝撃吸収部材４２に当接することで着脱可能に傾斜状に配設されている。
【００２８】
傾斜板５０は、上段部３の傾斜板３０と同様に、上面に上述した容器２の括れ部２２が当接されるガイド突起部材５２が配設されている。本実施例のガイド突起部材５２は、断面矩形の棒状部材より形成され、傾斜板５０の左右方向の中央位置の前後方向に沿って延設されている。ガイド突起部材５２は、傾斜板５０の上面からの突出高さが容器２の括れ部２２の深さよりも低くなるように形成され、横向き状の容器２の括れ部２２の間に位置するように配設されている（図６等参照）。
【００２９】
なお、本実施例の物品収容装置１では、下段部５の傾斜板５０の前方位置であって左側壁１０、右側壁１１、及び下前壁１５に側方を囲繞された空間に取り出し部１７が形成され、底壁１３の前方縁部にて下段部５の傾斜板５０から転動された容器２が取り出し部１７に停止される。取り出し部１７では、左側壁１０及び右側壁１１の間に容器２の取り出し用の凹部１０ｂ・１１ｂが形成され、上前壁１４及び下前壁１５の間の空間内で左右方向より容器２の天面及び底面が把持されて取り出される。
【００３０】
次に、物品収容装置１における容器２の収容・取り出し動作について、以下に詳述する。
【００３１】
図７及び図８に示すように、物品収容装置１に容器２を収容する際には、まず、前方の投入部１６より容器２を傾斜板３０の上面に横向き状に載置する。投入部１６より傾斜板３０の上面に横向き状に投入された容器２は、上段部３にて、本体部２０が傾斜板３０に当接された状態で、天面及び側面が左右の側壁１０・１１にてガイドされ（図３等参照）、かつ括れ部２２がガイド突起部材３２にて同じくにガイドされながら、後方に向けて傾斜板３０上を自重により転動される（図７の矢印Ａ参照）。
【００３２】
上段部３にて後方に向けて転動された容器２は、折り返し部４にて、傾斜板３０の後方縁部より上下開口部４０に自重落下し、湾曲部材４１に衝突して転動方向が切り換えられ（図７の矢印Ｂ参照）、湾曲部材４１に沿って前方に向けて転動しながら、下段部５の傾斜板５０へと投入される。このとき、本実施例の物品収容装置１では、湾曲部材４１及び衝撃吸収部材４２が弾性材より形成されるため、容器２が上下開口部４０より自重落下して湾曲部材４１へ衝突する際の衝撃や、容器２同士が衝突する際の衝撃が湾曲部材４１及び衝撃吸収部材４２の弾性力にて緩和され、容器２の姿勢ズレが防止される。
【００３３】
折り返し部４を介して下段部５に投入された容器２は、本体部２０が傾斜板５０に当接された状態で、天面及び側面が左右の側壁１０・１１にて前後方向にガイドされ、かつ括れ部２２がガイド突起部材５２にて同じく前後方向にガイドされながら、前方に向けて傾斜板５０上を自重により転動される（図７の矢印Ｃ参照）。そして、傾斜板５０の前方縁部より取り出し部１７に到達し、下前壁１５に衝突して停止することで、物品収容装置１に横置き状のままで収容される（図７の矢印Ｄ参照）。
【００３４】
物品収容装置１に順次投入された容器２は、上段部３、折り返し部４及び下段部５のいずれかの位置にて先に収容された容器２に衝突して停止し、横置き状に整列して収容される。特に、折り返し部４では、先入れして下方位置にて停止される容器２に対して、次に投入した容器２がその上方で軸中心が後方にズレた状態で停止される。このようにして物品収容装置１では、複数の容器２・２・・・が横置き状に投入順に収容され、本実施例では、一度に１２個の容器２・２・・・が収容される（図８等参照）。
【００３５】
他方、図８及び図９に示すように、物品収容装置１に収容された容器２を取り出す際には、取り出し部１７にて停止される先入れした容器２の天面及び底面を把持して持ち上げることで、前方より取り出すことができる（図９の矢印Ｅ参照）。先入れした容器２が取り出されると、次の容器２が取り出し部１７に到達し（図９の矢印Ｆ参照）、下前壁１５に衝突して停止するまで、収容されている残りの容器２・２・・・が１個分の容器幅だけ順送りで横置き状に整列したまま移動される（図９の矢印Ｇ参照）。
【００３６】
以上のように、本実施例の物品収容装置１は、ボトル状の飲料用の容器２を横置き状に収容し、前方より収容順に取り出し可能に形成された物品収容装置１であって、横置き状に投入された容器２をガイドしながら後方に向けて傾斜板３０上を自重により転動させる上段部３と、上段部３の後方位置に連設され、容器２の転動方向を切り換える折り返し部４と、上段部３の下方位置に配設され、折り返し部４を介して投入された容器２をガイドしながら前方に向けて傾斜板５０上を自重により転動させる下段部５と、を具備してなり、傾斜板３０・５０は、上面に容器２の括れ部２２が当接されるガイド突起部材３２・５２が前後方向に沿って設けられるため、簡易な構成で、ボトル状の容器２の転動中の姿勢のズレを防止して、容器２を安定して収容し、取り出すことができるのである。
【００３７】
すなわち、本実施例の物品収容装置１では、上段部３、折り返し部４、及び下段部５を備えることで、前方より後方に向けて投入した容器を往復動させて前方より先出しして取り出すことができ、特に、傾斜板３０及び傾斜板５０にガイド突起部材３２及びガイド突起部材５２が前後方向に沿ってそれぞれ設けられることで、首部２１や括れ部２２が形成されることで横置き状での内容物の偏りが大きく転動時の直進性が悪いボトル状の容器２であっても、転動中の容器２の姿勢ズレを防止し、装置内での引っ掛かりや目詰まりを起こすことなく、容器２をスムーズに整列して収容し、取り出すことができる。
【００３８】
このような物品収容装置１では、複数の容器２・２・・・を一度に収容することができ、かつ前方より後方に向けて投入した容器２を往復動させて前方より先出しして取り出すことができるため、例えば、１０℃以下にて冷蔵保管する必要がある乳酸菌飲料等の市販のボトル状の小型（６５ｍｌ又は８０ｍｌ）の容器２を収容する場合に、（１）冷蔵庫内に一括保管できる、（２）先入れ先出しにより賞味期限を管理できる、（３）冷蔵庫内の指定場所に設置することで弱視者や高齢者の利便に資することができる、（４）傾斜板３０及び傾斜板５０の上を転動するため内容物の沈殿を防止できる、（５）装置の分解・組み立て（装置本体、傾斜板３０、及び傾斜板５０）が容易で、水洗い等により衛生状態を清浄に保つことができる、等の実用上のメリットがある。
【００３９】
特に、本実施例の物品収容装置１では、折り返し部４は、下段部５の傾斜板５０と連続するように下方向に湾曲された弾性材よりなる湾曲部材４１が設けられるため、上段部４の傾斜板３０から下段部５の傾斜板５０へと転動方向を折り返して（Ｕターンさせて）投入する際の衝撃や、容器２同士が衝突する際の衝撃を緩和することができ、容器２の姿勢ズレを効果的に防止することができる。
【００４０】
また、折り返し部４は、湾曲部材４１の下方位置に弾性材よりなる衝撃吸収部材４２が設けられるため、上段部４の傾斜板３０から下段部５の傾斜板５０へと容器２が自重落下して湾曲部材４１へ衝突する際の衝撃や、容器２同士が衝突する際の衝撃を緩和することができ、容器２の姿勢ズレをさらに効果的に防止することができる。
【００４１】
なお、本実施例の物品収容装置１の構成としては、上述した実施例に限定されず、本発明の目的を逸脱しない限りにおいて種々の変更が可能である。なお、以下の別実施例では、上述した実施例と同様の作用効果を奏する構成の詳細な説明は省略する。
【００４２】
すなわち、上述した実施例の物品収容装置１では、ボトル状の飲料用の容器２として、プラスチック等の比較的軽量の素材より首部２１及び括れ部２２を有する小型のボトル状に形成された容器２を横置き状に収容し、前方より収容順に取り出し可能とする構成について説明したが、例えば、ガラス等の比較的重い素材により括れのない小型（５０ｍｌ〜１１０ｍｌ）のボトル状に形成された容器を収容等可能とするように構成されてもよい。
【００４３】
例えば、図１０乃至図１５に示す別実施例の物品収容装置１００では、横置き状に投入された容器１０２をガイドしながら後方に向けて傾斜板１３０上を自重により転動させる上段部１０３と、上段部１０３の後方位置に連設され、容器１０２の転動方向を切り換える折り返し部１０４と、上段部１０３の下方位置に配設され、折り返し部１０４を介して投入された容器１０２をガイドしながら前方に向けて傾斜板１５０上を自重により転動させる下段部１０５等とで構成され、円筒状の本体部１２０と首部１２１とが設けられ、ガラス等の比較的重い素材より形成されるボトル状の小型の容器１０２を収容等可能とされている（図１１参照）。
【００４４】
物品収容装置１００では、一度に８個の容器１０２・１０２・・・が収容できるように構成されているが、比較的重量のある容器１０２に対応するため、装置本体の左側壁１１０及び右側壁１１１の上縁部に一対の把手部材１１８・１１８が揺動可能に橋設されており、把手部材１１８・１１８にて物品収容装置１０１を容易に持ち運ぶことができるように構成されている。
【００４５】
上段部１０３の傾斜板１３０は、上面に上述した容器１０２の首部１２１が当接されるガイド突起部材１３２が配設されている。本実施例のガイド突起部材１３２は、断面円形のパイプ状部材より形成され、傾斜板１３０の前後方向に沿って延設されている。ガイド突起部材１３２は、傾斜板１３０の上面からの突出高さが横向き状の容器１０２の首部１２１の深さよりも低くなるように形成されている（図１２等参照）。
【００４６】
ガイド突起部材１３２は、傾斜板１３０に穿設された長孔１３０ｂ・１３０ｂを介して下面より係止ボルト１３３・１３３にて締結され、左右方向の取り付け位置を変更可能に固定されている。このようにガイド突起部材１３２が左右方向に移動可能に配設されることで、例えば、現在市販されているサイズの異なる容器１０２・２０２であっても、容器１０２・２０２の高さ（首部１２１・２２１の位置）に合わせてガイド突起部材１３２の左右方向の取り付け位置を変更することで容易に対応でき、ユーザの利便性をより向上できる（図１４及び図１５参照）。また、かかる構成であれば、容器１０２の高さが低い場合に容器１０２の天面（又は底面）をガイド突起部材１３２に当接させるようにして使用することもできる（図略）。
【００４７】
なお、物品収容装置１０１では、上段部１０３の傾斜板１３０と下段部１０５の傾斜板１５０とは略同一に形成されているため、下段部１０５（傾斜板１５０）の詳細な説明は省略する。
【００４８】
折り返し部１０４は、比較的重量のある容器１０２に対応するため、湾曲部材１４１が弾性材として長板状の硬質又は軟質のスポンジ部材より形成され、衝撃吸収部材１４２・１４３が弾性材としてブロック状の硬質又は軟質のスポンジ部材より形成されている。また、上下開口部１４０内には、上段部３のガイド突起部材１３２及び下段部５のガイド突起部材１５２の後方端部がそれぞれ位置されている。このように、ガイド突起部材１３２及びガイド突起部材１５２の後方端部が上下開口部１４０内に位置されることで、ガイド突起部材１３２・１５２にて上段部１０３からの落下時及び下段部１０５への投入時に容器１０２の姿勢が縦方向にズレないように安定してガイドすることができる。
【符号の説明】
【００４９】
１      物品収容装置
２      容器
３      上段部
４      折り返し部
５      下段部
１０    左側壁
１１    右側壁
１１ａ  スリット
１１ｂ  凹部
１２    後壁
１２ａ  スリット
１３    底壁
１３ａ  突起部
１４    上前壁
１５    下前壁
１６    投入部
１７    取り出し部
２０    本体部
２１    首部
２２    括れ部
３０    傾斜板
３０ａ  係止片
３１    係止部材
３２    ガイド突起部材
４０    上下開口部
４１    湾曲板
４２    衝撃吸収部材
５０    傾斜板
５０ａ  係止片
５２    ガイド突起部材
【図１】
2018029853.tif 000003
【図２】
2018029853.tif 000004
【図３】
2018029853.tif 000005
【図４】
2018029853.tif 000006
【図５】
2018029853.tif 000007
【図６】
2018029853.tif 000008
【図７】
2018029853.tif 000009
【図８】
2018029853.tif 000010
【図９】
2018029853.tif 000011
【図１０】
2018029853.tif 000012
【図１１】
2018029853.tif 000013
【図１２】
2018029853.tif 000014
【図１３】
2018029853.tif 000015
【図１４】
2018029853.tif 000016
【図１５】
2018029853.tif 000017
【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
ボトル状の飲料用の容器を横置き状に収容し、前方より収容順に取り出し可能に形成された物品収容装置であって、
横置き状に投入された容器をガイドしながら後方に向けて傾斜板上を自重により転動させる上段部と、
前記上段部の後方位置に連設され、容器の転動方向を切り換える折り返し部と、
前記上段部の下方位置に配設され、前記折り返し部を介して投入された容器をガイドしながら前方に向けて傾斜板上を自重により転動させる下段部と、を具備してなり、
前記傾斜板は、上面に容器の首部又は括れ部が当接されるガイド突起部材が前後方向に沿って設けられ、
前記折り返し部は、前記下段部の傾斜板と連続するように下方向に湾曲された弾性材よりなる長板状の湾曲部材と、前記湾曲部材の下方位置で前記下段部の傾斜板の後方縁部に弾性材よりなるブロック状の衝撃吸収部材と、が設けられる、
ことを特徴とする物品収容装置。
【請求項２】
前記ガイド突起部材は、左右方向に移動可能に配設される請求項１に記載の物品収容装置。
【請求項３】
前記ガイド突起部材は、後方端部が前記折り返し部の上下開口部内に位置される請求項１又は請求項２に記載の物品収容装置。
【手続補正２】
【補正対象書類名】明細書
【補正対象項目名】０００９
【補正方法】変更
【補正の内容】
【０００９】
すなわち、請求項１においては、ボトル状の飲料用の容器を横置き状に収容し、前方より収容順に取り出し可能に形成された物品収容装置であって、横置き状に投入された容器をガイドしながら後方に向けて傾斜板上を自重により転動させる上段部と、前記上段部の後方位置に連設され、容器の転動方向を切り換える折り返し部と、前記上段部の下方位置に配設され、前記折り返し部を介して投入された容器をガイドしながら前方に向けて傾斜板上を自重により転動させる下段部と、を具備してなり、前記傾斜板は、上面に容器の首部又は括れ部が当接されるガイド突起部材が前後方向に沿って設けられ、前記折り返し部は、前記下段部の傾斜板と連続するように下方向に湾曲された弾性材よりなる長板状の湾曲部材と、前記湾曲部材の下方位置で前記下段部の傾斜板の後方縁部に弾性材よりなるブロック状の衝撃吸収部材と、が設けられるものである。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
請求項２においては、前記ガイド突起部材は、左右方向に移動可能に配設されるものである。
【手続補正６】
【補正対象書類名】明細書
【補正対象項目名】００１３
【補正方法】変更
【補正の内容】
【００１３】
請求項３においては、前記ガイド突起部材は、後方端部が前記折り返し部の上下開口部内に位置されるものである。